(57)【要約】【課題】  隣接する敷地にそれぞれ建設される一対の戸建て住宅であって、採光性及び通風性を高めることができる一対の戸建て住宅を提供する。【解決手段】一対の戸建て住宅１は、隣接する敷地にそれぞれ建設される第一住宅２ａ及び第二住宅２ｂからなる一対の戸建て住宅１であって、前記敷地の境界８から一方側に所定の距離を開けて設けられる第一住宅２ａと、前記敷地の境界８から他方側に前記所定の距離を開けて設けられる第二住宅２ｂと、前記第一住宅２ａ及び前記第二住宅２ｂの間で前記敷地の境界８を含む領域に設けられる共用アプローチ５と、を備え、前記第一住宅２ａ及び前記第二住宅２ｂの互いに対向する外壁面にそれぞれ凹部６ａ，６ｂが形成され、２つの前記凹部６ａ，６ｂに囲まれた空間に共用中庭７が形成される。【選択図】図１
2020070597.tif 000002
【特許請求の範囲】
【請求項１】
隣接する敷地にそれぞれ建設される第一住宅及び第二住宅を備える一対の戸建て住宅であって、
前記敷地の境界から一方側に所定の距離を開けて設けられる第一住宅と、
前記敷地の境界から他方側に前記所定の距離を開けて設けられる第二住宅と、
前記第一住宅及び前記第二住宅の間で前記敷地の境界を含む領域に設けられる共用アプローチと、を備え、
前記第一住宅及び前記第二住宅の互いに対向する外壁面にそれぞれ凹部が形成され、
２つの前記凹部に囲まれた空間に共用中庭が形成されることを特徴とする一対の戸建て住宅。
【請求項２】
前記所定の距離は５０ｃｍであり、前記共用アプローチの幅は１ｍであることを特徴とする請求項１に記載の一対の戸建て住宅。
【請求項３】
前記第一住宅及び前記第二住宅の玄関ドアがそれぞれ前記凹部の外壁に形成されており、
前記第一住宅の前記玄関ドアは、前記凹部の内、前記第二住宅側に対面しない面に形成されることを特徴とする請求項１又は請求項２に記載の一対の戸建て住宅。
【請求項４】
前記第一住宅及び前記第二住宅の前記凹部の１階の屋内側には、それぞれ土間空間が形成されるとともに、２つの前記凹部の外壁の互いに対向する面にそれぞれ床面から所定高さまで延びる開口部が形成されることを特徴とする請求項３に記載の一対の戸建て住宅。
【請求項５】
前記敷地の境界及び前記共用アプローチは、南北方向に延びて形成されており、
前記第一住宅及び前記第二住宅は、それぞれ２階以上の階層を有し、
前記第一住宅及び前記第二住宅の最上階の南側居住部は、互いに離反する方向に後退して寝室が形成されることを特徴とする請求項１から請求項４のいずれかに記載の一対の戸建て住宅。
【発明の詳細な説明】
【技術分野】
【０００１】
本発明は、隣接する敷地にそれぞれ建設される一対の戸建て住宅に関する。
【背景技術】
【０００２】
従来から、例えば多世帯住宅等のように、同一敷地内に独立した２棟以上の住宅が隣り合って配置される住宅群が知られている。これらの住宅群においては、予め２棟以上の住宅の配置や外構の配置を設計することで、２棟が隣接して配置されているにもかかわらず、必要な採光や通風を良好なものとすることができる（例えば特許文献１及び特許文献２参照）。また、アプローチや庭などの外構要素を２棟の住宅の住人が共同で利用可能とされている場合があり、それぞれの住宅の住人の交流を図ることもできる。
【先行技術文献】
【特許文献】
【０００３】
【特許文献１】特開平１０−２８０７１０号公報
【特許文献２】特開２００５−３６５８４号公報
【発明の概要】
【発明が解決しようとする課題】
【０００４】
ところで、隣接する２つの敷地にそれぞれ建設される戸建て住宅においては、それぞれの戸建て住宅が別個に設計されているため、隣接する戸建て住宅同士のプライバシーや採光性や通風性を低下させる要因となり、特に敷地面積が狭小である場合などには、これらを解決することは困難である。
【０００５】
そこで本発明は、隣接する敷地にそれぞれ建設される一対の戸建て住宅であって、採光性及び通風性を高めることができる一対の戸建て住宅を提供することを目的とする。
【課題を解決するための手段】
【０００６】
本発明の一対の戸建て住宅は、隣接する敷地にそれぞれ建設される第一住宅及び第二住宅からなる一対の戸建て住宅であって、前記敷地の境界から一方側に所定の距離を開けて設けられる第一住宅と、前記敷地の境界から他方側に前記所定の距離を開けて設けられる第二住宅と、前記第一住宅及び前記第二住宅の間で前記敷地の境界を含む領域に設けられる共用アプローチと、を備え、前記第一住宅及び前記第二住宅の互いに対向する外壁面にそれぞれ凹部が形成され、２つの前記凹部に囲まれた空間に共用中庭が形成されることを特徴としている。
【０００７】
本発明の一対の戸建て住宅は、前記所定の距離は５０ｃｍであり、前記共用アプローチの幅は１ｍであることを特徴としている。
【０００８】
本発明の一対の戸建て住宅は、前記第一住宅及び前記第二住宅の玄関ドアがそれぞれ前記凹部の外壁に形成されており、前記第一住宅の前記玄関ドアは、前記凹部の内、前記第二住宅側に対面しない面に形成されることを特徴としている。
【０００９】
本発明の一対の戸建て住宅は、前記第一住宅及び前記第二住宅の前記凹部の１階の屋内側には、それぞれ土間空間が形成されるとともに、２つの前記凹部の外壁の互いに対向する面にそれぞれ床面から所定高さまで延びる開口部が形成されることを特徴としている。
【００１０】
本発明の一対の戸建て住宅は、前記敷地の境界及び前記共用アプローチは、南北方向に延びて形成されており、前記第一住宅及び前記第二住宅は、それぞれ２階以上の階層を有し、前記第一住宅及び前記第二住宅の最上階の南側居住部は、互いに離反する方向に後退して寝室が形成されることを特徴としている。
【発明の効果】
【００１１】
本発明の一対の戸建て住宅によると、第一住宅及び第二住宅の互いに対向する外壁面にそれぞれ凹部が形成され、２つの凹部に囲まれた空間に共用中庭が形成されるので、敷地面積が狭い住宅であっても外部に大きく開かれておらずプライバシーを確保しやすい中庭を設けることができる。また、共用アプローチが第一住宅及び第二住宅の間に設けられることで、玄関ドアは第一住宅と第二住宅との間にそれぞれ設けられることになるので、接道側に設けられる場合に比べてプライバシーを確保しやすい。また、第一住宅及び第二住宅の間で敷地の境界を含む領域に共用アプローチが設けられるので、隣地境界から住宅の外壁までの距離が短く単独ではアプローチの幅に足りない場合であっても、第一住宅及び第二住宅の２つの住宅の外壁と隣地境界までの距離を合わせることで、十分なアプローチの幅を確保することができる。しかも、アプローチを共用としているので第一住宅及び第二住宅の敷地にそれぞれアプローチを設ける場合に比べて、狭い面積でアプローチを形成することができ、例えばガレージなどの他の外構要素を比較的広く形成することができる。また、第一住宅及び第二住宅に挟まれた共用アプローチの奥に、共用中庭を設けているので、例えば車椅子の旋回のように共用アプローチの幅よりも広い空間が必要な場合にも共用中庭を利用することで対応することができる。
【００１２】
本発明の一対の戸建て住宅によると、第一住宅及び第二住宅と敷地の境界との距離がそれぞれ５０ｃｍであり、幅５０ｃｍでは十分なアプローチを設けることができないが、共用アプローチの幅は１ｍであるので例えば車椅子や大きな荷物を住宅から出し入れする場合にも十分な幅のアプローチとすることができる。
【００１３】
本発明の一対の戸建て住宅によると、第一住宅及び第二住宅の玄関ドアがそれぞれ前記凹部の外壁に形成されているので、一対の戸建て住宅の外部からは玄関ドアを視認することができず、プライバシーを守りやすい。また、第一住宅の玄関ドアは、凹部の内、第二住宅側に対面しない面に形成されるので、第一住宅と第二住宅の玄関ドアが対面することが無く、第一住宅及び第二住宅の住人の間の距離を適度に保ちやすい。
【００１４】
本発明の一対の戸建て住宅によると、第一住宅及び第二住宅の凹部の１階の屋内側には、それぞれ土間空間が形成されており、２つの凹部の外壁の互いに対向する面にそれぞれ床面から所定高さまで延びる開口部が形成されているので、共用中庭の地面と屋内側の土間空間とを繋がりある印象とすることができ、共用中庭を面積以上の広がりを感じる空間とすることができる。
【００１５】
本発明の一対の戸建て住宅によると、第一住宅及び第二住宅の最上階の南側居住部は、互いに離反する方向に後退して形成されているので、共用中庭に日光を取り込みやすく、共用中庭を介して第一住宅及び第二住宅の屋内を明るい空間とすることができる。また、第一住宅及び第二住宅の南側居住部が互いに離反する方向に後退しているので、第一住宅及び第二住宅の空間的に離れた位置に寝室が形成されることとなり、当該寝室を利用する居住者のプライバシーを守ることができる。
【図面の簡単な説明】
【００１６】
【図１】一対の戸建て住宅の敷地及び１階の屋内構成を説明する間取り図。
【図２】一対の戸建て住宅の２階の屋内構成を説明する間取り図。
【図３】一対の戸建て住宅の３階の屋内構成を説明する間取り図、
【図４】一対の戸建て住宅を図１のＡ−Ａ線で切断した切断端面を示す図。
【図５】一対の戸建て住宅を図１のＢ−Ｂ線で切断した切断端面を示す図。
【図６】図１のＣ−Ｃ部分拡大図。
【発明を実施するための形態】
【００１７】
以下、本発明に係る一対の戸建て住宅１の最良の実施形態について、各図を参照しつつ説明する。一対の戸建て住宅１は、隣接する敷地にそれぞれ建設される第一住宅２ａ及び第二住宅２ｂの２つの住宅と、当該第一住宅２ａ及び第二住宅２ｂの周辺に形成される外構とを備えている。第一住宅２ａ及び第二住宅２ｂの住人は特に限定されるものではないが、例えば親族関係や友人関係などの親しい関係を有する住人同士が第一住宅２ａ及び第二住宅２ｂに分かれて居住することが想定される。
【００１８】
まず、図１を参照しつつ、第一住宅２ａ及び第二住宅２ｂの敷地に配置される外構について説明する。第一住宅２ａ及び第二住宅２ｂの敷地はそれぞれ東西方向の間口が約６ｍで、南北方向の奥行きが約２３ｍの南北方向に長い矩形に形成されており、南側が公道３に接道している。それぞれの敷地には南側にガレージ４が配置されている。第一住宅２ａ及び第二住宅２ｂの敷地の間には、南側の公道３からこれら２つの住宅の玄関へアクセスするための共用アプローチ５が形成されている。また、第一住宅２ａ及び第二住宅２ｂの周りには図示しないが植栽や、郵便受けやインターホンが設けられた門柱が形成されている。また第一住宅２ａ及び第二住宅２ｂの境界以外の隣地境界には例えばフェンスが配置されている。なお、本実施形態における東西南北の方角は完全に正確な方角を意味するものではなく、「北」は少なくとも北西から北東の範囲であり、「東」「西」「南」についても同様に、北東から南東、北西から南西、南東から南西の範囲をいう。
【００１９】
第一住宅２ａ及び第二住宅２ｂは、図１及び図６に示すように、互いに対向する外壁面にそれぞれ凹部６ａ，６ｂが形成されており、これら２つの凹部６ａ，６ｂに囲まれた空間が共用中庭７を形成している。第一住宅２ａ及び第二住宅２ｂの凹部６ａ，６ｂによりそれぞれ後退した外壁は互いに平行であり、４．５ｍ離れて形成されている。したがって、共用中庭７の幅は４．５ｍである。なお、共用中庭７の幅はこれに限定されるものではないが、車椅子の旋回性や採光性・通風性などの機能を発揮するために、少なくとも３ｍ以上の幅に形成されていることが好ましい。また、共用アプローチ５は、第一住宅２ａ及び第二住宅２ｂの敷地の境界８を含み、当該境界線から第一住宅２ａ及び第二住宅２ｂ側にそれぞれ５０ｃｍずつの範囲に形成されている。したがって、共用アプローチ５の幅は１ｍであり、第一住宅２ａ及び第二住宅２ｂの敷地の境界線に沿って南北に延びて共用中庭７に至る。
【００２０】
このように住宅外壁から敷地の境界８までの間の距離を５０ｃｍとりつつ、隣接する２つの住宅と敷地の境界８との間のスペースを合わせて共用アプローチ５とすることで、幅１ｍのアプローチを形成することができ、例えば車椅子や大きな荷物を住宅から出し入れする場合にも十分な幅のアプローチとすることができ、敷地の利用効率を高めることができる。
【００２１】
次に、図１から図６を参照しつつ、第一住宅２ａの屋内構成について説明する。なお、本実施形態において、西側の敷地に配置される住宅を第一住宅２ａとし、東側の敷地に配置される住宅を第二住宅２ｂとしているが、特にこれに限定されるものではない。まず、第一住宅２ａの１階平面構成について説明する。第一住宅２ａの１階は、図１に示すように、平面視したときに南北方向に長い矩形で、東側の外壁の一部が西側に後退して凹部６ａが形成されている。図６に示すように、第一住宅２ａの凹部６ａの南側の外壁には、玄関ドア９ａが設けられている。凹部６ａの南側の外壁は、公道３側からは全く視認できない位置であるので、第一住宅２ａの玄関ドア９ａを開けたときに外部の視線が入ることがなく、第一住宅２ａの住人のプライバシーを守ることができる。玄関ドア９ａの屋外側は共用中庭７となっており、その一部に地面よりも高い玄関ポーチ１０ａが形成されている。
【００２２】
第一住宅２ａの玄関ドア９ａの屋内側には、土間床が形成された土間空間１１ａが形成されている。土間床は玄関ポーチ１０ａと同じ高さに形成されており、玄関ポーチ１０ａから無段差で屋内に入ることができる。土間空間１１ａは、玄関ドア９ａの屋内側正面に形成される玄関土間１２と、玄関土間１２に繋がる土間廊下１３と、を有している。土間廊下１３は、１階南側居室２０と１階北側居室２１とを連絡している。土間廊下１３は、共用中庭７に隣接して屋内側に形成されており、共用中庭７との間に土間床の床面から天井面まで延びる開口部１４ａが形成されている。開口部１４ａは例えば嵌め殺し窓であるが、これに限定されず引き違い窓であってもよい。このように大きな開口部１４ａが共用中庭７に隣接して形成されており、その屋内側に土間空間１１ａが設けられることで、土間空間１１ａが共用中庭７の延長のような印象となり、共用中庭７をより広く感じることができる。
【００２３】
土間廊下１３の西側には、トイレ１５、階段１６、洗面所１７、バスルーム１８、台所１９が順に形成されている。なお、本実施形態では、第一住宅２ａは例えば親世帯と子世帯の２世帯住宅であり、１階には親世帯が主に居住している。１階北側居室２１は親世帯の寝室であり、１階南側居室２０は親世帯のリビングダイニングである。
【００２４】
また、第一住宅２ａの２階には、図２に示すように、２階北側居室２２と２階南側居室２３が設けられており、その間に廊下２４、トイレ、階段１６、子世帯の台所２６が形成されている。２階北側居室２２は孫の寝室であり、北側が開口するように設けられている。また、２階南側居室２３は子世帯のリビングダイニングが形成されている。第一住宅２ａの２階は共用中庭７の上方が吹き抜けるように配置されており、共用中庭７に面して採光窓が設けられている。
【００２５】
第一住宅２ａの３階は、最上階である。３階には、図３に示すように、北側居住部２７ａと南側居住部２８ａが設けられ、その間に収納部２９、階段１６、洗面室３０などが形成されている。第一住宅２ａの３階もまた、共用中庭７の上方が吹き抜けるように配置されており、共用中庭７に面して採光窓が設けられている。したがって、図４に示すように、共用中庭７は上方に向かって開放されており、自然光や風を取り入れやすい。また、南側居住部２８ａは、図５に示すように、１階及び２階よりも第二住宅２ｂから離反する方向に後退して形成されている。南側居住部２８ａは寝室になっており、第二住宅２ｂの住人との関係性が比較的薄い家族の寝室とすることが好ましい。
【００２６】
次に、図１から図６を参照しつつ、第二住宅２ｂの屋内構成について、説明する。なお、第二住宅２ｂは２世帯住宅を想定していない。第二住宅２ｂは、図１及び図６に示すように、第一住宅２ａと同様に平面視したときに南北方向に長い矩形で、西側の外壁の一部が東側に後退して凹部６ｂが形成されている。第二住宅２ｂの１階凹部６ｂは第一住宅２ａの凹部６ａに比べて南側に長く凹んで形成されており、凹部６ｂの南側の部分の第一住宅２ａに向き合う外壁面に玄関ドア９ｂが形成されている。したがって、玄関ドア９ｂは、第一住宅２ａの玄関ドア９ａと対面しておらず、第一住宅２ａ及び第二住宅２ｂの住人間の距離を適度に保ちやすい。また、第二住宅２ｂの玄関ドア９ｂが凹部６ｂに形成されていることで、公道３からは見えない位置であり、第二住宅２ｂの住人のプライバシーを守ることができる。第二住宅２ｂの玄関ドア９ｂの屋外側にも玄関ポーチ１０ｂが形成されている。
【００２７】
第二住宅２ｂの玄関ドア９ｂの屋内側には、土間床が形成された土間空間１１ｂが形成されている。この土間空間１１ｂは、第一住宅２ａと同様に玄関土間１２及び土間廊下１３からなり、１階北側居室３１と１階南側居室３２とを繋いでいる。なお、第二住宅２ｂにおける１階北側居室３１は防音性を高めた音楽ルームであり、１階南側居室３２は例えばワーキングルームである。
【００２８】
また、第二住宅２ｂの土間廊下１３は、第一住宅２ａと同様に、共用中庭７に隣接して屋内側に形成されており、共用中庭７との間に土間床の床面から天井面まで延びる開口部１４ｂが形成されている。開口部１４ｂは嵌め殺し窓であっても引き違い窓であってもよい。第一住宅２ａと同様に大きな開口部１４ｂが共用中庭７に隣接して形成され、その屋内側に土間空間１１ｂが設けられることで、土間空間１１ｂを共用中庭７の延長のように捉えて、共用中庭７をより広く感じることができる。第一住宅２ａ及び第二住宅２ｂがともに大きな開口部１４ａ，１４ｂと土間空間１１ｂとを備えることで、より広がった印象の共用中庭７とすることができる。土間廊下１３の西側には、直階段３３が形成されている。
【００２９】
また、第二住宅２ｂの２階には、図２に示すように、北側にダイニングキッチン３４、バスルーム３５、洗面所３６、洗濯室３７などが形成されている。また、第二住宅２ｂの南側には２階南側居室３８が設けられており、リビングとなっている。第二住宅２ｂの２階の北側と２階南側居室３８との間には直階段３３及び廊下３９が形成されており、第二住宅２ｂの２階は共用中庭７の上方が吹き抜けるように配置されており、共用中庭７に面して採光窓が設けられている。
【００３０】
第二住宅２ｂの３階は、第一住宅２ａと同じく、最上階である。３階には、図３に示すように、北側居住部２７ｂと南側居住部２８ｂが設けられ、その間に廊下４０及び直階段３３が形成されている。第二住宅２ｂの３階も、共用中庭７の上方が吹き抜けるように配置されており、共用中庭７に面して採光窓が設けられている。したがって、図４に示すように、共用中庭７は上方に向かって開放されており、自然光や風を取り入れやすい。また、南側居住部２８ｂは、図５に示すように、１階及び２階よりも第一住宅２ａから離反する方向に後退して形成されている。南側居住部２８ｂは寝室になっており、第一住宅２ａの住人との関係性が比較的薄い家族の寝室とすることが好ましい。
【００３１】
このように、第一住宅２ａ及び第二住宅２ｂの最上階である３階の南側居住部２８ａ，２８ｂが互いに離反する方向に後退しているので、南側の太陽光を共用中庭７に受け入れやすくなり第一住宅２ａ及び第二住宅２ｂの採光性を高めることができる。しかも、第一住宅２ａ及び第二住宅２ｂの３階の南側居住部２８ａ，２８ｂが互いに離反することで、例えば、兄弟又は姉妹がそれぞれ第一住宅２ａ及び第二住宅２ｂに分かれて居住するような場合に、血縁関係がなく比較的関係が薄くなる互いの配偶者の寝室として南側居住部２８ａ，２８ｂを使用することで、比較的関係性が薄い住人が互いを気にすることなく居住することができる。したがって、南側居住部２８ａ，２８ｂ同士の間に距離を開けることで、採光性や通風性を高めつつ、より住人のプライバシーに配慮した住宅とすることができる。
【００３２】
本発明の実施の形態は上述の形態に限ることなく、本発明の思想の範囲を逸脱しない範囲で適宜変更することができることは云うまでもない。
【産業上の利用可能性】
【００３３】
本発明に係る一対の戸建て住宅１は、隣接する２つの敷地にそれぞれ親しい間柄の住人が住まう住宅を建設する一対の戸建て住宅１として好適である。
【符号の説明】
【００３４】
１      一対の戸建て住宅
２ａ    第一住宅
２ｂ    第二住宅
５      共用アプローチ
６ａ，６ｂ    凹部
７      共用中庭
８      敷地の境界
９ａ，９ｂ    玄関ドア
１１ａ，１１ｂ    土間空間
１４ａ，１４ｂ    開口部
２８ａ，２８ｂ    南側居住部
【図１】
2020070597.tif 000003
【図２】
2020070597.tif 000004
【図３】
2020070597.tif 000005
【図４】
2020070597.tif 000006
【図５】
2020070597.tif 000007
【図６】
2020070597.tif 000008